(57)【特許請求の範囲】
【請求項１】
携帯端末装置において
表示部と、
被検出物が接触又は近接したことを検出する第１検出部と、
所定の機能が実行されているか否かを判断する判断部と、
所定の機能が実行されている場合において、前記検出部により被検出部の接近又は近接が検出されたときは、第１機能に関する情報を含む第１画像を前記表示部に表示させ、所定の機能が実行されている場合において、前記検出部により被検出部の接近又は近接が検出されていないときは、第２機能に関する情報を含む第２画像を前記表示部に表示させる制御部と、
前記第１画像を表示する場合には前記表示部の輝度を第１輝度に設定し、前記第２画像を表示する場合には前記表示部の輝度を前記第１輝度よりも低い第２輝度に設定することができる輝度制御部と、を備えることを特徴とする携帯端末装置。
【請求項２】
表示部を有する携帯端末装置のコンピュータで実行される処理方法であって、
被検出物が接触又は近接したことを検出する第１検出ステップと、
所定の機能が実行されているか否かを判断する判断ステップと、
所定の機能が実行されている場合において、前記検出ステップにより被検出部の接近又は近接が検出されたときは、第１機能に関する情報を含む第１画像を前記表示部に表示させ、所定の機能が実行されている場合において、前記検出部により被検出部の接近又は近接が検出されていないときは、第２機能に関する情報を含む第２画像を前記表示部に表示させる制御ステップと、
前記第１画像を表示する場合には前記表示部の輝度を第１輝度に設定し、前記第２画像を表示する場合には前記表示部の輝度を前記第１輝度よりも低い第２輝度に設定する輝度制御ステップと、を備えることを特徴とする処理方法。
【発明の詳細な説明】
【技術分野】
【０００１】
本発明は、携帯端末装置に関し、特に複数の表示画面を有する携帯端末装置に関する。携帯電話機やＰＤＡ（Personal Digital Assistant）等の携帯端末装置に関するものである。
【背景技術】
【０００２】
タッチパネルを備えた携帯電話機が知られている。しかしながら、タッチパネルで消費される電力は大きいため、通話で使用できる時間を低下させるかもしれない。そこで、タッチパネルを備えた携帯電話機に関する省電力技術として、例えば、通話中にユーザが携帯電話機を保持し、かつ携帯電話機に耳を当てている場合は、画面への電力供給を停止する技術が知られている（特許文献１）。この技術によれば、通話中の消費電力を低減して通話時間を長くすることが期待できる。
【先行技術文献】
【特許文献】
【０００３】
【特許文献１】特開平１０−１９０７８６号
【発明の概要】
【発明が解決しようとする課題】
【０００４】
しかしながら、画面への電力供給が停止されるので、通話中に音量の調整や録音機能をユーザが実行したい場合、携帯端末装置から耳を遠ざける必要があるかもしれない。
【０００５】
本発明は、ユーザが携帯端末装置を耳に当てて使用している場合であってもユーザの利便性を損なうことなく各種機能を容易に実行することができる携帯端末装置を提供することを目的とする。
【課題を解決するための手段】
【０００６】
上述した目的を達成するために、本発明の携帯端末装置は、表示部と、被検出物が接触
又は近接したことを検出する第１検出部と、所定の機能が実行されているか否かを判断する判断部と、所定の機能が実行されている場合において、前記検出部により被検出部の接近又は近接が検出されたときは、第１機能に関する情報を含む第１画像を前記表示部に表示させ、所定の機能が実行されている場合において、前記検出部により被検出部の接近又は近接が検出されていないときは、第２機能に関する情報を含む第２画像を前記表示部に表示させる制御部と、前記第１画像を表示する場合には前記表示部の輝度を第１輝度に設定し、前記第２画像を表示する場合には前記表示部の輝度を前記第１輝度よりも低い第２輝度に設定することができる輝度制御部と、を備える。
【０００７】
上述した目的を達成するために、表示部を有する携帯端末装置のコンピュータで実行される処理方法であって、被検出物が接触又は近接したことを検出する第１検出ステップと、所定の機能が実行されているか否かを判断する判断ステップと、所定の機能が実行されている場合において、前記検出ステップにより被検出部の接近又は近接が検出されたときは、第１機能に関する情報を含む第１画像を前記表示部に表示させ、所定の機能が実行されている場合において、前記検出部により被検出部の接近又は近接が検出されていないときは、第２機能に関する情報を含む第２画像を前記表示部に表示させる制御ステップと、前記第１画像を表示する場合には前記表示部の輝度を第１輝度に設定し、前記第２画像を表示する場合には前記表示部の輝度を前記第１輝度よりも低い第２輝度に設定する輝度制御ステップと、を備える。
【発明の効果】
【００１９】
本発明は、ユーザが、携帯端末装置にて所定の機能を実行中であっても所定の機能の使用を妨げることなく容易に携帯端末装置に備えられた各種機能を実行することができる携帯端末装置を提供することを目的とする。
【００２０】
この発明の上述の目的、その他の目的、特徴及び利点は図面を参照して行う以下の実施例の詳細な説明から一層明らかとなろう。
【図面の簡単な説明】
【００２１】
【図１】実施形態に係る携帯電話機１００の外観を説明する図。
【図２】本発明の実施の形態に係る携帯電話機１００のブロック構成図。
【図３】実施形態に係る携帯電話機１００のＲＯＭ１９０に記憶されたメモリマップを説明する図。
【図４】図２に示す実施形態に係る携帯電話機１００の制御部２２０の構成を説明する図。
【図５】実施形態に係る携帯電話機１００の表示部１１０に表示される画像を説明する図。
【図６】実施形態に係る携帯電話機１００にて処理される通話処理を示すフローチャート。
【図７】実施形態に係る携帯電話機１００にて処理される画面変更処理を示すフローチャート。
【発明を実施するための形態】
【００２２】
〔構成〕
まず、図１〜図７を用いて携帯電話機１００の構成について説明する。
【００２３】
図１は、携帯電話機１００の外観図である。携帯電話機１００は第１筐体１０１と第２筐体１０２とを含む。第１筐体１０１と第２筐体１０２とはスライド可能に連結される。第１筐体１０１は、タッチパネル１０５、マイク１４０、第１スピーカ１３０、第２スピーカ１３１、検出部２１０及び発光部１６０を含む。第２筐体１０２は、操作部１２０を含む。図１（Ａ）は携帯電話機１００の状態が開いた状態を示す。開いた状態とは、タッチパネル１０５と操作部１２０とが共に露出する状態である。図１（Ｂ）は携帯電話機１００の状態が閉じた状態を示す。閉じた状態とは、第２筐体１０２に設けられた操作部１２０の一部が第１筐体１０１によって覆われる状態である。
【００２４】
図２は、携帯電話機１００の構成図である。携帯電話機１００は、タッチパネル１０５、操作部１２０、第１スピーカ１３０、第２スピーカ１３１、Ｄ／Ａコンバータ１３５、マイク１４０、Ａ／Ｄコンバータ１４５、振動部１５０、発光部１６０、無線回路１７０、アンテナ１７５、撮影部１８０、ＲＯＭ１９０（ＲＥＡＤ  ＯＮＬＹ  ＭＥＭＯＲＹ）、ＲＡＭ２００（ＲＡＮＤＯＭ  ＡＣＣＥＳＳ  ＭＥＭＯＲＹ）、及び制御部２２０を含む。
【００２５】
タッチパネル１０５は、表示制御部１０６、表示部１１０、タッチパネル入力部１１５を含む。
【００２６】
表示制御部１０６は、制御部２２０からの制御信号に基づいて、ＲＯＭ１９０、及び、ＲＡＭ２００に記憶された情報を表示部１１０に表示することができる。表示制御部１０６は、制御部２２０からの制御信号に基づいて、表示部１１０に情報を表示する際の明るさ、コントラスト、表示する情報の向き、及び情報を表示する時間等を制御してもよい。表示制御部１０６は表示部１１０に備えられたバックライトの輝度、バックライトのＯＮ（点灯）とＯＦＦ（消灯）の切り替え、バックライトの点灯時間等を制御をしてもよい。
【００２７】
表示部１１０は、表示制御部１０６からの指示に基づき、各種情報または各種画面を表示する。各種情報とは、例えば、機能メニュー、メール、アドレス帳、電話の着信履歴や発信履歴、メールの送信履歴や受信履歴、データフォルダに保存された文字データや画像データ３６０などを含む。各種画面とは、通話中においては、ユーザが音量を調整するための画面、ユーザが輝度を調整するための画面、及びユーザが通話に関する機能を実行するための画面等である。通話に関する機能とは、例えばミュート機能やスピーカホン機能等である。各種画面の中に、各種情報が表示されてもよい。各種画面を各種画像と称する場合もある。表示部１１０は、例えば液晶ディスプレイ、有機ＥＬ（ＥＬＥＣＴＲＯ  ＬＵＭＩＮＥＳＣＥＮＣＥ）ディスプレイ、プラズマディスプレイなどにより実現される。
【００２８】
タッチパネル入力部１１５は、ユーザが指やペンなどの接触部材を用いてタッチパネル１０５に触れた位置を検出することができる。タッチパネル入力部１１５は、ユーザにより触れられた位置に対応する座標値を制御部２２０に出力することができる。タッチパネル入力部１１５は、単位時間（例えば１／６０秒）毎に、ユーザにより触れている位置の
座標値を検出することができる。タッチパネル入力部１１５の上面には、タッチパネル１０５が配置される。ユーザが接触部材でタッチパネル１０５に触れるとは、例えば、タッチパネル１０５の表面を接触部材によって押したり、撫でたり、描いたりすることである。タッチパネルパネル入力部１１５は、ユーザが押した位置や撫でた方向や描いた図形などの座標値を制御部２２０に出力する。タッチパネル入力部１１５は、ユーザによるタッチを検出してからリリースを検出するまでの間、単位時間毎に検出した座標値を、ユーザが描いた図形の座標値として制御部２２０に出力することができる。タッチパネル入力部１１５によって座標を検知する方式は、例えば、静電容量方式や、抵抗膜方式、光学式、超音波表面弾性波方式、赤外線遮光方式、電磁誘導方式、画像認識方式などがある。
【００２９】
ユーザがタッチパネル１０５の表面に指を接触させる操作を「タッチ」と称する。タッチパネル１０５の表面に接触させた指をユーザが離す操作を「リリース」と称する。ユーザによりタッチされた位置の座標値を「タッチ点（第１位置）」と称する。ユーザによりリリースされた位置の座標を「リリース点（第２座標）」と称する。タッチパネル入力部１１５は、ユーザによるタッチを検出した後にユーザによるタッチを検出しなくなったときは、最後に検出したユーザによるタッチされた位置をリリースされた位置の座標としてもよい。ユーザが指をタッチパネル１０５の表面に接触させた状態で指を動かす操作をドラッグと称する。ユーザが指をタッチパネル１０５の表面に接触させた状態で、指を所定時間内（例えば５０ｍｓ）に所定距離以上（例えば５０ピクセル）動かし、指をリリースする操作を「フリック」と称する。タッチ、リリース、ドラッグ、フリックをまとめてタッチ操作と称する。タッチパネル入力部１１５を接触検出部と称する場合がある。タッチパネル１０５の表面に対するユーザによる操作を、ユーザによる入力を称する場合がある。ユーザは、指以外の体の一部をタッチパネル１０５の表面に接触させてもよい。
【００３０】
操作部１２０は、ユーザからの操作の入力を受け付けることができる。操作部１２０は、受け付けた入力を、制御部２２０に出力する。
【００３１】
第１スピーカ１３０及び第２スピーカは、制御部２２０からの制御信号に基づき、音を出力することができる。第２スピーカは、スピーカホン機能が実行された場合に用いられるスピーカである。制御部２２０は、通話中において、スピーカホン機能が実行された場合には、音の出力を、第１スピーカから第２スピーカに切り替える。
【００３２】
Ｄ／Ａコンバータ１３５は、制御部２２０から入力されたデジタル信号をアナログ信号に変換することができる。Ｄ／Ａコンバータ１３５は、変換したアナログ信号を、スピーカ１３０へ出力する。
【００３３】
マイク１４０は、音声などの外部からの音を集音することができる。マイク１４０は、集音した音をアナログ信号としてＡ／Ｄコンバータ１４５に出力する。
【００３４】
Ａ／Ｄコンバータ１４５は、マイク１４０より入力されたアナログの音声信号を、デジタル信号へ変換して、制御部２２０に出力する。
【００３５】
振動部１５０は、制御部２２０からの制御信号によって機械的振動を起こすことができる。振動部１５０は、モーター等を含む。振動部１５０は、電話の発着信、メールの送受信、アラーム日時到来などを機械的振動によりユーザへ報知することができる。
【００３６】
発光部１６０は、制御部２２０からの制御信号によって、光を照射することができる。発光部１６０は、ＬＥＤ等の発光素子を含む。発光部１６０は、電話発着信、メール送受信、録音メッセージ再生、音楽データ再生、アラーム日時到来などを、光を照射することによりユーザへ報知することができる。
【００３７】
アンテナ１７５は、所定の信号を受信して高周波信号として無線回路１７０に出力することができる。また無線回路１７０より出力された高周波信号を所定の周波数の電磁波として出力する。
【００３８】
無線回路１７０は、制御部２２０からの制御信号によって、他の電話機と無線通信を行うことができる回路である。無線回路１７０は、制御部２２０の指示に基づき、アンテナ１７５を介して信号を出力する。信号は、基地局及び通信網を経て相手の電話機に送信される。
他の電話機より着信があった場合、無線回路１７０は、アンテナ１７５から入力された所定の高周波信号に復調処理、及び、復号処理を施してデジタル音声信号に変換することができる。デジタル音声信号は、Ｄ／Ａコンバータ１３５によりアナログ音声信号に変換される。アナログ音声信号は、スピーカ１３０より出力される。マイク１４０を通して集音されたアナログ音声信号は、Ａ／Ｄコンバータ１４５によってデジタル音声信号に変換される。変換されたデジタル音声信号は、制御部２２０に出力される。デジタル音声信号は、無線回路１７０によって符号化処理および変調処理が施されて所定の高周波信号に変換される。所定の高周波信号は、アンテナ１７５を介して出力される。出力された信号は、基地局および通信網を介して相手の電話機に送信される。
相手の電話機からの発信信号がアンテナ１７５により受信されると、無線回路１７０は、電話着信があった旨を制御部２２０に通知する。表示制御部１０６は、発信元の電話番号などの情報を表示部１１０に表示する。発信元の電話番号等は相手の電話機から送信される信号に含まれていてもよい。制御部２２０は、スピーカ１３０、振動部１５０、発光部１６０などを用いてユーザに着信を報知する。ユーザが、操作部１２０またはタッチパネル１０５を操作することにより、着信に対する応答操作を実行することができる。無線回路１７０は、応答操作が実行されると、電話着信処理を実行して通話可能状態を確立させる。通話可能状態において、ユーザは、操作部１２０又はタッチパネル１０５を操作することにより、終話に関する操作を実行することができる。終話に関する操作が実行されると、制御部２２０は、無線回路１７０を制御して相手の電話機に通話終了の信号を送信して通話処理を終了する。相手の電話機や基地局より通話終了の信号を受信した場合は、制御部２２０は、通話処理を終了する。
【００３９】
撮影部１８０は、被写体を撮像し、撮像した結果を電子データとして取得することができる。撮影部１８０により取得された電子データは、ＲＯＭ１９０やＲＡＭ２００に記憶される。撮影部１８０は、例えば、ＣＣＤ（ＣＨＡＲＧＥ  ＣＯＵＰＬＥＤ  ＤＥＶＩＣＥ）カメラや、ＣＭＯＳ（ＣＯＭＰＬＥＭＥＮＴＡＲＹ  ＭＥＴＡL  ＯＸＩＤＥ  ＳＥ
ＭＩＣＯＮＤＵＣＴＯＲ）カメラなどを含む
ＲＯＭ１９０は、携帯電話機１００に備えられた各種機能を実行するためのプログラムやデータなどを記憶することができる。
【００４０】
ＲＡＭ２００は、制御部２２０が各種機能を実行する場合に用いる一時記憶領域（バッファ領域とも呼ぶ）として利用される。
【００４１】
検出部２１０は、被検出物が携帯電話機１００に接触または近接したことを検出することができる。一実施例では、接触または近接をまとめて接触という場合がある。検出部２１０は、静電容量式の近接センサを含む。検出部２１０は、被検出物が接触または近接することにより静電容量が増加する。静電容量が閾値を超えると、検出部２１０は、近接信号を制御部２２０に出力する。検出部２１０は、被検出物が携帯電話機１００より離れて近傍に存在しなくなると、近接信号の出力を中止する。近接センサは、超音波式や誘導型の近接センサでもよい。一実施例において、検出部２１０は、図２に示した位置に設けられている。検出部２１０は、ユーザが携帯電話機１００に耳を当てて使用している事を検知できる位置であれば、携帯電話機１００のどこに備えられてもよい。検出部２１０は近接検出部と称する場合もある。検出部１０は、ユーザの耳以外の体の一部が携帯電話機１００に接触または近接しているか否かを判断してもよい。
【００４２】
制御部２２０は、に備えられたソフトウェアやハードウェアを制御することができる。制御部２２０は、操作部１２０又はタッチパネル１０５を介してユーザより受け付けた入力に基づいて、ＲＯＭ１９０に記憶されたプログラムを実行することができる。制御部２２０は、ＲＯＭ１９０やＲＡＭ２００と協働してプログラムを実行する。制御部２２０の詳細は後述する。
【００４３】
図３は、ＲＯＭ１９０に記憶されている情報の配置を示す図である。情報の配置をメモリマップと称する。メモリマップは、プログラム記憶領域３１０と、データ記憶領域３４０を含む。プログラム記憶領域３１０は、制御部２２０と協働して実行されるプログラムを記憶する領域である。プログラム記憶領域３１０には、通話処理プログラム３２０、画面変更処理プログラム３３０等が記憶されている。データ記憶領域３４０は、各種機能を実行する場合に、制御部２２０により利用されるデータが記憶された領域である。データ記憶領域３４０には、アドレス帳、画像データ、検出範囲データ、検出フラグ等が記憶されている。
【００４４】
アドレス帳３５０は、ユーザの操作により入力されたアドレス情報を記憶できる。アドレス情報３５０は、電話番号やメールアドレスなどを含む。アドレス帳３５０は、電話番号又はメールアドレスに、氏名、メモリ番号、住所、誕生日、グループ（例えば学校や仕事先などの所属に関する情報）等の情報を関連付けて記憶することができる。
【００４５】
画像データは、表示部１１０に表示される画像データである。画像データには、通話中に表示部１１０に表示させる画像データを含む。表示部１１０に表示させる画像を画面と称する場合がある。
【００４６】
検出範囲データ３７０は、タッチパネル１０５において、通話中にユーザによる入力を受け付ける範囲である。検出範囲データ３７０は、通話中にタッチパネル１０５にユーザの耳が接触する可能性のある範囲を、ユーザによる入力を受け付けない範囲としてもよい。検出範囲データ３７０は、通話中にタッチパネル１０５にユーザの耳が接しない範囲を、ユーザによる入力を受け付ける範囲としてもよい。制御部２２０は、タッチパネル入力部１１５により検出された座標値と検出範囲データ３７０に記憶された検出範囲とに基づき、ユーザによる入力が有効か無効かを判断する。制御部２２０は、有効と判断した場合に、ユーザによる入力を実行する。ユーザによる入力を受け付ける範囲を有効範囲と称し、ユーザによる入力を受け付けない範囲を無効範囲と称する場合がある。検出範囲データ３７０は複数の座標値によって構成されていてもよい。また、有効範囲及び無効範囲は、複数の座標値によって示されていても良い。
【００４７】
検出フラグ３８０は、通話中にユーザが携帯電話機１００に耳を当てて使用しているか否かを示すフラグである。検出フラグ３８０は、１ビットのデータ値として記憶されていてもよい。検出フラグ３８０のデータ値が「１」の場合には、ユーザが携帯電話機１００に耳を当てて使用していることを示している。検出フラグ３８０のデータ値が「０」の場合には、ユーザが携帯電話機１００に耳を当てて使用していないことを示している。検出フラグ３８０のデータ値が「１」の場合を検出フラグ３８０がオンと称する場合がある。検出フラグ３８０のデータ値が「０」の場合を検出フラグ３８０がオフと称する場合がある。検出フラグ３８０は、後述する判断部４３０により設定される。
【００４８】
尚、プログラム記憶領域３１０、及び、データ記憶領域３４０には、上記した以外にも
携帯電話機１００に備えられた各種機能を実行するために必要なプログラム、及び、データが記憶されているものとする。
【００４９】
図４は、制御部２２０の構成を説明するための図である。制御部２２０は、通話処理部４１０、画面変更処理部４２０、判断部４３０、タイマ部４４０、無効部４５０、機能選択部４６０を有する。
【００５０】
通話処理部４１０は、図３に記載の通話処理プログラム３２０を処理することができる。通話処理部４１０は、通話処理プログラムを処理することにより、操作部１２０又はタッチパネル１０５により検出されたユーザの入力に基づき、通話の開始及び通話の終了を実行することができる。
【００５１】
画面変更処理部４２０は、図３に記載の画面変更処理プログラム３３０を処理することができる。画面変更処理部４２０は画面変更処理プログラムを処理することにより、通話中において、検出部２１０により検出された結果に応じて表示部１１０に表示する画面を変更することができる。画面変更処理部４２０は、通話中において検出部２１０により被検出部が携帯電話機１００に接触していることが検出されたときは、第１画面を表示部１１０に表示させる。画面変更処理部４２０は、通話中において検出部２１０により被検出部が携帯電話機１００に接触していないことが検出されたときは、第２画面を表示部１１０に表示させる。第１画面及び第２画面は、ユーザが携帯電話機１００に備えられた各種機能を実行することができる画面である。第２画面にてユーザが選択できる機能の数は、第１画面にてユーザが選択できる機能の数より多くてもよい。第１画面は、ユーザが被検出物を携帯電話機１００から離す必要なく、携帯電話機１００に備えられた機能を実行できる画面となっている。第１画面は、第１画像と称する場合がある。第２画面は、第２画像と称する場合がある。
【００５２】
図５（Ａ）、図５（Ｂ）は、第１画面を説明するための図である。画面変更処理部４２０は、第１画面として、図５（Ａ）及び図５（Ｂ）のうちいずれを表示してもよい。
【００５３】
図５（Ａ）は、スピーカから出力される音量をユーザが調整することができる第１画面である。ユーザは、第１画面を接触することで、音量を調整することができる。ユーザは、図５（Ａ）において、「＋」を選択すると、音量を上げることができる。ユーザは、図５（Ａ）において、「−」を選択すると、音量を下げることができる。ユーザは、図５（Ａ）において、「戻す」を選択すると、調整した後の音量を予め定めた音量に戻すことができる。予め定めた音量とは、通話を開始したときの音量でもよい。制御部２２０は、タッチ入力部からタッチされた箇所の座標値を取得した場合に、取得した座標値が、「−」の画像が表示された領域になるのか、「＋」の画像が表示された領域にあるのか、「戻る」の画像が表示された領域にあるのかを判断する。制御部２２０は、取得した座標値がどの領域内にあるかに応じて、スピーカの音量を調整する。制御部２２０は、例えば、取得した座標値が「−」の画像が表示された領域にある場合には、音量を下げる。
【００５４】
図５（Ｂ）は、表示部１１０の輝度（明るさとも称する）をユーザが調整できる第１画面である。ユーザは、図５（Ｂ）において、●（黒丸）５００をタッチし、●５００をプラス側にスライドさせると明るさを上げることができる。ユーザは、●５００をマイナス側にスライドさせると、画面の明るさを下げることができる。制御部２２０は、タッチ入力部からタッチされた箇所の座標値を取得した場合に、取得した座標値が●５００が表示されている領域内にあるか否かを判断する。制御部２２０は、取得した座標値が領域内にある場合には、●５００が選択されたと判断する。制御部２２０は、●５００が選択されたと判断した場合に、タッチ入力部１１５により単位時間毎に検出される座標値の変化を見ることにより、明るさを上げるのか、下げるのかを判断する。制御部２２０は、判断の
結果に応じて明るさを調整する。
【００５５】
図５（Ａ）及び図５（Ｂ）において、第１画面には１つの機能が表示されている。ユーザは、第１画面に表示されている１つの機能を事前に知ることで、例えば通話中において耳を携帯電話機１００に当てている場合であっても、耳を携帯電話機１００から離すことなく機能を実行することができる。第１画面に表示される機能を第１機能と称する。
【００５６】
図５（Ｃ）は、第２画面を説明するための図である。
【００５７】
図５（Ｃ）は、スピーカホン機能、ミュート機能、及び終話機能のうちいずれかをユーザが実行できる第２画面である。スピーカホン機能とは、音声を第２スピーカ１３１より出力する機能である。ユーザは、スピーカホン機能を実行することにより、耳を携帯電話機１００に近づけなくても通話をすることができる。ミュート機能は、マイク１４０により集音された音声を通話相手へ送信することを中止する機能である。終話機能は、通話を終了する機能である。ユーザは、終話機能を実行することで、通話を終了させることができる。ユーザは、図５（Ｃ）において、「スピーカ」をタッチすると、スピーカ機能を実行できる。ユーザは、「ミュート」をタッチすると、ミュート機能を実行できる。ユーザは、「終話」をタッチすると、終話機能を実行できる。制御部２２０は、タッチ入力部からタッチされた箇所の座標値を取得した場合に、取得した座標値が、「ミュート」の画像が表示された領域内にあるのか、「スピーカ」の画像が表示された領域内にあるのか、「終話」の画像が表示された領域内にあるのかを判断する。制御部２２０は、取得した座標値が属する領域に表示された機能を実行する。制御部２２０は、例えば取得した座標値が「終話」の画像が表示された領域内にあると判断した場合は、終話機能を実行する。
【００５８】
図５（Ｃ）において、第２画面には複数の機能が表示されている。携帯電話機１００に耳を当てていない場合は、ユーザは第２画面を確認することができる。ユーザは、例えば通話中の場合であっても、第２画面に表示されている複数の機能のうち、任意の一つの機能を選択し実行することができる。第２画面に表示されている機能を第２機能と称する。第２機能は複数の機能を含んでいても良い。
【００５９】
判断部４３０は、検出部２１０が検出した結果に基づき、ユーザが耳を携帯電話機１００に当てているか否かを判断することができる。判断部４３０は、後述するタイマ部４４０による計測結果とタッチパネル入力部１１５による検出結果に基づき、所定時間内にユーザによるタッチ操作が行われたか否かを判断することができる。判断部４３０は、操作部１２０又は、タッチパネル１０５により検出されたユーザよる入力が、携帯電話機１００に備えられた機能のうち、どの機能を実行させるための入力であるかを判断することができる。判断部４３０は、操作部１２０又はタッチパネル１０５により検出されたユーザによる入力が、アドレス帳３５０を開くための入力であるか否か、通話を開始させるための入力であるか否か、通話を終了させるための操作であるか否か等を判断することができる。判断部４３０は更に、第１判断部４３１と第２判断部４３２とを含む。第１判断部は、携帯電話機１００にて所定の機能が実行されているか否かを判断することができる。第２判断部４３２は、検出部２１０による検出結果に基づいて、ユーザが携帯電話機１００に耳を当てて使用しているか否かを判断することができる。所定の機能とは、例えば、通話機能、音声再生機能、録音メッセージ再生機能、メッセージ録音機能、留守番電話再生機能、留守番電話録音機能等が含まれる。録音メッセージが再生されている間、音量を調整できる画面が表示部１１０に表示されていれば、ユーザは携帯電話機１００から耳を離さなくとも録音メッセージを聴きながら第１スピーカ１３０から出力される録音メッセージの音量を調整することができる。判断部４３０は、ユーザの耳以外の体の一部が接触又は近接しているか否かを判断することとしてもよい。
【００６０】
機能選択部４６０は、携帯電話機１００に備えられた機能のうち、表示部１１０に表示する機能を選択することができる。機能選択部４６０は、第１判断部４３１及び第２判断部４３２の判断結果に基づき、第１の機能と第２の機能のうち、どちらを表示部１１０に表示させるかを選択することができる。第１機能とは、例えば図５（Ａ）においては音量の調整に関する機能であり、図５（Ｂ）においては輝度を調整する機能である。第２機能とは、図５（Ｃ）においては、ミュートに関する機能、スピーカホンに関する機能、終話に関する機能である。第２機能は、図５（Ｃ）のように、複数の機能を含んでいても良い。機能選択部４６０は、第１判断部により所定の機能が実行されていると判断された場合において、第２判断部によりユーザは携帯電話機１００に耳を近づけていると判断されたときは、第１機能を選択してもよい。機能選択部４６０は、第１判断部により所定の機能が実行されていると判断された場合において、第２判断部によりユーザは携帯電話機１００に耳を近づけていないと判断されたときは、第２機能を選択してもよい。機能選択部４６０は、第１機能として、携帯電話機１００が備える機能のうち、１つの機能を選択することでもよい。機能選択部４６０は、携帯電話機１００が備える機能のうち、複数の機能を選択することでもよい。
【００６１】
タイマ部４４０は、所定のタイミングからの時間を計測し、計測した時間が予め定められた時間（以下、第１時間とも称する）に到達したか否かを判断することができる。予め定められた時間とは、例えば１０秒等である。所定のタイミングは、タッチパネル１０５によりデタッチが検出されたタイミングでもよい。タイマ部４４０は、時間を計測している間にユーザによる新たなタッチが検出された場合は、計測した時間を初期化してもよい。タイマ部４４０は、タッチパネル１０５によりユーザによるタッチが検出されている間は、時間の計測をしなくてもよい。所定のタイミングとは、タッチパネル１０５によりユーザによる接触が検出されたタイミングでもよい。
【００６２】
無効部４５０は、タッチパネル入力部１１５によりユーザによる接触が検出された場合に、ユーザによる接触を無効にすることができる。無効部４５０は、タッチパネル入力部１１５からユーザによるタッチ位置の座標値を取得した場合に、取得した座標値が有効範囲にあるか否かを判断する。無効部４５０は、取得した座標値が有効範囲にない場合には、ユーザによるタッチを無効と判断する。無効部４５０は、取得した座標値が有効範囲にある場合は、ユーザによるタッチを有効と判断する。制御部２２０は、無効部４５０によりユーザによるタッチが無効と判断された場合には、検出されたユーザのタッチを無視する。
【００６３】
なお制御部２２０は、図４に示した構成以外にも携帯電話機１００に備えられた各種機能を実行するための構成を含んでもよい。
【００６４】
図６及び図７は、携帯電話機１００により実行される動作処理を示すフローチャートである。
【００６５】
判断部４３０は、タッチパネル１０５により検出されたユーザの操作が通話を開始する操作であるか否かを判断する（Ｓ１１０）。通話を開始する操作とは、例えば着信に対して応答する操作、電話番号を選択し発呼を開始する操作等である。
【００６６】
判断部４３０が通話を開始する操作が行われたと判断した場合、通話処理部４１０は相手側端末との通話を確立して通話を開始する（Ｓ１２０）。
【００６７】
画面変更処理部４２０は、通話が確立された後に、画面変更処理プログラム３３０を実行する（Ｓ１２５）。Ｓ１２４にて行われる処理は、図７を用いて後述する。
【００６８】
画面変更処理プログラム３３０が実行された後、判断部４３０は、タッチパネル１０５又は操作部１２０によりユーザによる操作が検出された場合に、検出された操作が通話を終了させるための操作であるか否かを判断する（Ｓ１３０）。
【００６９】
検出された操作が通話を終了させるための操作であると判断された場合（Ｓ１３０のＹＥＳ）、通話処理部４１０は、相手側端末との通話を切断して通話を終了する（Ｓ１４０）。
【００７０】
検出された操作が通話を終了させるための操作でないと判断された場合（Ｓ１３０のＮＯ）、画面変更処理部４２０はＳ１２５の処理を実行する。
【００７１】
図７は、図６のＳ１２０の処理を示すフローチャートである。
【００７２】
判断部４３０は、ユーザが携帯電話機１００に耳を当てて使用しているか否かを判断する（Ｓ２１０）
ユーザは携帯電話機１００に耳を当てて使用していないと判断された場合（Ｓ２１０のＮＯ）、画面変更処理部４２０は、表示部１１０に第２画面を表示する（Ｓ２１５）。ユーザは携帯電話機１００に耳を当てて使用していないと判断された場合、画面変更処理部４２０は、検出フラグ３８０をオフに設定する。第２画面とは、例えば図５（Ｃ）に示される画面である。
【００７３】
ユーザは携帯電話機１００に耳を当てて使用していると判断された場合（Ｓ２１０のＹＥＳ）、画面変更処理部４２０は、表示部１１０に第１画面を表示させる（Ｓ２２０）。ユーザは携帯電話機１００に耳を当てて使用していると判断された場合、画面変更処理部４２０は、検出フラグ３８０をオンに設定する。
【００７４】
次に判断部４３０は、タイマ部４４０の計測に基づき第１時間内にユーザによるタッチ操作が検出されたか否かを判断する（Ｓ２３０）。尚、タイマ部４４０は、Ｓ１１０の処理において通話を開始する操作を検出してから計測を開始してもよい。また、タイマ部４４０は、Ｓ２１０にて、ユーザは携帯電話機１００に耳を当てて使用していると判断された場合に計測を開始してもよい。また、タイマ部４４０は、Ｓ１２０にて通話が開始されたときから計測を開始してもよい。
【００７５】
第１時間内にユーザによるタッチ操作が検出されない場合（Ｓ２３０のＹＥＳ）、表示制御部１０６は、表示部１１０のバックライトをオフにする（Ｓ２４０）。
【００７６】
第１時間内にユーザによるタッチ操作が検出された場合（Ｓ２３０のＮＯ）、無効部４５０は、検出されたユーザによるタッチ操作が有効範囲内にてなされた操作か否かを判断する（Ｓ２３２）。
【００７７】
無効部４５０によりタッチ操作が無効と判断された場合は（Ｓ２３２のＮＯ）、表示制御部１０６は、表示部１１０のバックライトをオフにする（Ｓ２４０）。
【００７８】
無効部４５０によりタッチ操作が有効と判断された場合は（Ｓ２３２のＹＥＳ）、画面処理変更部４２０は、バックライトがオフになっている場合はバックライトをオンにする（Ｓ２３４）。判断部４３０は、ユーザによるタッチ操作が表示部１１０に表示された機能を選択する操作であるか否かを判断する（Ｓ２３６）。
【００７９】
ユーザによるタッチ操作が表示部１１０に表示された機能を選択する操作であると判断された場合、判断部４３０は選択された機能を実行する（Ｓ２３８）。
【００８０】
一方、ユーザによるタッチ操作が表示部１１０に表示された機能を選択する操作でないと判断された場合は、画面変更処理部４２０はバックライトをＯＦＦにする（Ｓ２４０）。
【００８１】
一実施例において、検出部２１０は、近接センサを含むことで説明したが、照度センサを含むことでもよい。携帯電話機１００は、通話を開始する前の周囲の照度と、携帯電話機１００に被検出物が近接している場合の照度に一定の許容範囲を設けた値を予めＲＯＭ１９０に記憶する。一定の許容範囲とは、測定した照度に±数％の値の範囲を設けたものである。判断部４３０は、照度センサが測定している照度が許容範囲内の値となれば、携帯電話機１００に被検出物が接触または近接している判断する。照度センサが検出した照度が許容範囲外の値となれば、検出部４３０は、携帯電話機１００に被検出物が近接していないと判断する。
【００８２】
一実施例において、スライド可能な携帯電話機１００を用いて説明したが、第１筐体と第２筐体が回動可能な携帯電話機又は第１筐体と第２筐体を折りたたむことが可能な携帯電話機でもよい。第２筐体を備えず第一筐体のみを備える携帯電話機１００であってもよい。
【００８３】
一実施例において、Ｓ２３４の処理にてバックライトはオンされるが、第１画面及び第２画面が表示さる場合の輝度は予め定められた輝度よりも低い輝度としてもよい。第２画面が表示される場合の輝度は第１画面が表示される場合の輝度よりも低くしてもよい。予め定められた輝度よりも低い輝度で画面を表示することによって、通話中の電力消費を抑えることができる。
【００８４】
一実施例における図５（Ａ）において、「音量」と表示された文字の下側部分を有効範囲としてもよい、図５（Ｂ）において、「明るさ」と表示された文字の下側部分を有効範囲としてもよい。また、図５（Ａ）及び図５（Ｂ）に示される画面に限らず、表示される情報にあわせて検出範囲データが適宜設定されてもよい。有効範囲が設定されることにより、ユーザが携帯電話機１００に耳を当てて使用している場合に、携帯電話機１００は、ユーザの意図しない入力を処理することを防止することができる。
【００８５】
なお、携帯電話機１００の通信方式はＣＤＭＡ方式、ＬＴＥ（Ｌｏｎｇ  Ｔｅｒｍ  Ｅｖｏｌｕｔｉｏｎ）方式、ＰＨＳ方式、Ｗ−ＣＤＭＡ方式、ＧＳＭ方式、ＴＤＭＡ方式、ＦＤＭＡ方式などを採用することとしてもよい。
【００８６】
一実施例における通話処理プログラム３２０は、データ配信用サーバーに記憶され、ネットワークによって携帯電話機１００に配信されてもよい。通話処理プログラム３２０は、ＣＤ、ＤＶＤ、ＢＤ（Blu-ray Disc）などの光学ディスクやＵＳＢメモリやメモリカードなどの記憶媒体に記憶させた状態で、販売又は配布されてもよい。データ配信用サーバーや記憶媒体に保存された通話処理プログラム３２０が、一実施例の携帯電話機１００と同等の構成を要する他の携帯電話機にて実行されてもよい。そのような場合、一実施例に記載した効果と同等の効果が期待できるかもしれない。
【００８７】
なお、一実施例において括弧書きにて記載した数値は一例であり一実施例に記載された数値に限定されるものではない。
【符号の説明】
【００８８】
１００  携帯電話機
１０５  タッチパネル入力部
１２０  操作部
１３０  第１スピーカ
１３１  第２スピーカ
１４０  マイク
１５０  振動部
１６０  発光部
１７０  無線回路
１７５  アンテナ
１８０  撮影部
１９０  ＲＯＭ
２００  ＲＡＭ
２１０  検出部
２２０  制御部
３１０  プログラム記憶領域
３２０  通話処理プログラム
３３０  画面変更処理プログラム
３４０  データ記憶領域
３５０  アドレス帳
３６０  画像データ
３７０  入力範囲データ
３８０  検出フラグ
４１０  通話処理部
４２０  画面変更処理部
４３０  判断部
４３１  第１判断部
４３２  第２判断部
４４０  タイマ部
４５０  無効部
４６０  機能選択部
【図１】
0005183790.tif 000002
【図２】
0005183790.tif 000003
【図３】
0005183790.tif 000004
【図４】
0005183790.tif 000005
【図５】
0005183790.tif 000006
【図６】
0005183790.tif 000007
【図７】
0005183790.tif 000008